【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
文章移動表示領域を生成する文章移動表示領域生成手段と、
前記文章移動表示領域に、読解支援対象文章を受け付ける文章受付手段と、
文章の移動表示に関する学習者による入力の情報に基づく入力情報を取得する入力情報取得手段と、
前記読解支援対象文章内の部分部分における、個々学習者にとっての読みにくさ読みやすさの程度の局所的な変化に応じ、その各文章部分に対し、学習者による理解が成立するまでに個々の学習者にとって必要な待ち時間を、すなわち、それまでの文脈に照合しながら単語などの意味を思い出したり、あるいはその文章部分の理解が読者にとって非常に難しい場合には類推を援用するなどしながら、当該文章部分に対する何らかの理解が可能になるまでに個々学習者にとって最低限必要である待ち時間を、前記文章移動表示領域に表示されている文章の部分部分の読みにくさ読みやすさに応じて、学習者に機敏かつ頻繁に、積極的に変化させつつ確保させ得るような前記読解支援対象文章の前記文章移動表示領域における移動表示を行うために、
前記入力情報取得手段により取得された入力情報に基づき、前記文章受付手段により受け付けられた前記読解支援対象文章を、左方向に移動表示する、あるいはほとんど停止した状態で表示する、あるいは右方向に移動表示する表示制御手段と、
学習者に、前記入力情報を、前記文章移動表示領域において視覚的に認識させ、単調性を低下させ、注意を喚起するために、
前記入力情報に相応しい表示形態を記憶した表示形態記憶手段と、
文章移動表示領域内における前記読解支援対象文章の表示形式をほとんど常に変化させることにより、学習者が文章の中で今読むべき部分のみをじっと見続けることの学習者にとっての単調性や、学習者の理解が、ある文章部分に成立するまでに必要な待ち時間の長さに由来して学習者に生じる単調性ならびに退屈さ、を低減させ、前記待ち時間に学習者が退屈しない可能性を高めるために、
前記入力情報に応じて、前記表示制御手段は、前記表示形態記憶手段を参照して、前記読解対象文章の前記文章移動表示領域における表示形態を変更する表示形態変更手段と、を備えることを特徴とする読解支援装置であり、
前記入力情報取得手段は、前記読解支援対象文章を前記文章移動表示領域に移動表示中であっても、文章の移動表示に関する前記入力情報を取得する手段であり、
学習者が、ほとんど常に前記入力の作業を行うことにより、前記文章移動表示領域に移動表示される前記読解対象文章の動きを水平方向にほとんど常に流れるように変化させるために、すなわち、前記文章移動表示領域に移動表示される前記読解対象文章の左方向への移動速度を増減させたり、前記文章移動表示領域に移動表示される前記読解対象文章の右方向への移動速度を増減させるなどして調整したり、学習者が高頻度に前記入力を行うことにより、文章を左や右に移動させ学習者にとって読みやすいように文章表示位置を微調整したりするために、また、学習者が、ほとんど常に前記入力の作業を行うことにより、ほとんど常に変化がありかつ珍しい、文章の動かし方や表示形式の表示、を行い、前記文章移動表示領域に移動表示される文章部分に対する何らかの理解が成立するまで、学習者の集中力を、そのような文章部分のみに固定して維持できる可能性、ならびに、そのような文章部分を理解しようとすることに対する学習者による執着力、を増大させるために、
前記入力情報取得手段は、前記入力情報の入力の瞬間だけを検出する、すなわち、入力が生じたときに１度だけ入力の情報を返し、あとはその入力が一旦解除されるまでは、入力情報が取得されない手段であり、
前記表示制御手段は、前記入力情報に応じて、前記文章移動表示領域における文章移動速度を変化させる手段であり、
前記表示制御手段は、前記入力情報取得手段により所定の入力情報が取得される都度、前記文章移動速度を所定の速度だけ増大あるいは減少する手段であり、
前記表示制御手段は、学習者よりなされる前記入力情報によっては、前記文章移動表示領域に表示されている前記読解支援対象文章の移動方向を左方向のみでなく右方向にも次第に変化させたり、また、右方向から左方向へも次第に変化させたり、前記文章移動表示領域に表示されている前記読解支援対象文章である表示文章を左方向のみでなく右方向にも流れるように移動させたり、またその速度を増減させたりし、通常にはない、珍しい文章の動かし方の表示を行う手段であり、
前記表示制御手段は、前記文章移動表示領域に移動表示されている前記読解支援対象文章において、非常に読みにくくなっているような箇所に学習者が直面した場合や、前記文章移動表示領域において、今、読んでいる文章部分は関心や目的に適った部分である時や、前記文章移動表示領域に移動表示されている前記読解支援対象文章が、読みやすい部分から読みにくい部分になった時に、学習者よりなされる前記入力情報に応じて、前記読解支援対象文章の左方向への移動表示速度を、次第に低下させる手段であり、学習者が文章を一本調子に漫然と読み進むことにより読みにくい文章部分はすぐに読み飛ばしてしまうというような読み方を防ぐ手段であり、関心がある部分をより詳しく読もうとする手段であり、
前記表示制御手段は、その間、すなわち前記読解支援対象文章の移動速度を減速させている間にも、詳細を学習者が思い出せない、あるいは、関連する事柄を類推することさえできないなどのために非常に読みにくい場合には、学習者よりなされる前記入力情報に応じて、更に、前記文章移動表示領域に表示される前記読解支援対象文章の移動をほとんど停止させる手段であり、
前記表示制御手段は、前記読解支援対象文章の移動速度を減速させている間にも、詳細を学習者が思い出せない、あるいは、関連する事柄を類推することさえできないなどのために非常に読みにくい場合あるいは、前の文章内容や、文脈が不明瞭になった場合、あるいは、文章が左の方へ移動しすぎたので少し戻って参照したい場合、には、学習者より更になされる前記入力情報に応じて、前記読解支援対象文章を前記文章移動表示領域に右方向に、すなわち、通常の文章移動表示とは逆方向にゆっくり移動表示させ始め、時間的に少し前に前記文章移動表示領域に表示されていた文章を表示し直し、学習者に参照させる手段であり、
前記表示制御手段は、その読みにくい箇所に対する理解を学習者が得次第、学習者よりなされる前記入力情報に応じて、前記文章移動表示領域に移動表示されている前記読解支援対象文章が理解できる範囲内の速度で、学習者が、再度、非常に読みにくいと感じるような箇所に直面するところまで、表示文章の左方向への移動速度を次第に高速度にする手段であり、
前記表示制御手段は、前記文章移動表示領域に対する前記読解支援対象文章の移動表示に際して、移動速度の初期値を設定する移動速度初期値設定手段を有する手段であり、
前記表示制御手段は、前記文章移動表示領域に対する前記読解支援対象文章の移動表示に際して、表示形態の初期値を設定する表示形態初期値設定手段を有する手段であり、
前記表示形態変更手段は、前記入力情報に応じて、前記文章移動表示領域に移動表示される前記読解支援対象文章の背景色を変更する手段であり、学習者に、前記入力情報を視覚的に認識させ、単調性を低下させ、注意を喚起するための手段であり、
前記表示形態変更手段は、前記入力情報に応じて、前記文章移動表示領域に移動表示される前記読解支援対象文章のフォントスタイルを変更する手段であり、学習者に、前記入力情報を視覚的に認識させ、単調性を低下させ、注意を喚起するための手段であり、
前記表示制御手段は、前記文章移動表示領域に前記読解支援対象文章が左方向に移動表示されている場合には、学習者による前記読解支援対象文章の移動表示速度増大に関する前記入力情報が前記入力情報取得手段により取得される度に、前記読解支援対象文章の左方向への速度が、所定の量増大するように設定し、あるいは、前記文章移動表示領域に前記読解支援対象文章が右方向に移動表示されている場合には、学習者による前記読解支援対象文章の移動表示速度増大に関する前記入力情報が前記入力情報取得手段により取得される度に、前記読解支援対象文章の右方向への速度が、所定の量減少するように設定する手段であり、
前記表示制御手段は、前記文章移動表示領域に前記読解支援対象文章が左方向に移動表示されている場合には、学習者による前記読解支援対象文章の移動表示速度減少に関する前記入力情報が前記入力情報取得手段により取得される度に、前記読解支援対象文章の左方向への速度が、所定の量減少するように設定し、あるいは、前記文章移動表示領域に前記読解支援対象文章が右方向に移動表示されている場合には、学習者による前記読解支援対象文章の移動表示速度減少に関する前記入力情報が前記入力情報取得手段により取得される度に、前記読解支援対象文章の右方向への速度が、所定の量増大するように設定する手段である、
ことを特徴とする読解支援装置。
【請求項２】
前記読解支援対象文章は、改行を有する、すなわち複数行からなる文章であり、
前記表示制御手段は、前記文章受付手段により受け付けられた読解支援対象文章の中から前記文章移動表示領域に移動表示対象とする一の行を選択する移動表示行選択手段を有する手段であり、
前記表示制御手段は、前記移動表示行選択手段により選択された一の行の文頭表示位置を、前記入力情報に応じて、前記文章移動表示領域に対して算出する文頭表示位置算出手段を有する手段であり、
前記文頭表示位置算出手段により算出され決定される文頭表示位置により、前記文章移動表示領域の外に位置することになった前記移動表示行選択手段により選択された一の行の部分は表示されず、前記文頭表示位置算出手段により算出され決定される文頭表示位置により、前記文章移動表示領域の中に位置することになった前記移動表示行選択手段により選択された一の行の部分は表示され、
前記移動表示行選択手段により、前記読解支援対象文章から選択された一の行が、前記文章移動表示領域において左方向に移動表示されている時には、その行の移動表示を終えると次の行の移動表示を該行の文頭から左方向に行い、
前記移動表示行選択手段により、前記読解支援対象文章から選択された一の行が、前記文章移動表示領域において右方向に移動表示されている時、すなわち、通常とは逆方向に移動表示されている時には、その行の移動表示を終えると、一つ前の行の移動表示を該行の文末から右方向に行い、
更に、
前記表示制御手段は、前記入力情報取得手段により取得された入力情報が所定の値であった場合には、前記読解支援対象文章を行単位でさかのぼって、そこから前記文章移動表示領域に移動表示し直す手段、すなわち、前の文章内容や、文脈が不明瞭になった場合に学習者が一行単位でさかのぼって再読して内容を確認するための手段であり、
前記表示制御手段は、前記読解支援対象文章を前記文章移動表示領域に移動表示中であっても、前記入力情報取得手段により取得された入力情報が所定の値であった場合には、前記読解支援対象文章を行単位でさかのぼってそこから前記文章移動表示領域に移動表示し直す手段であり、
更に、
前記表示制御手段は、前記入力情報取得手段により、前記所定の値を有する入力情報の取得が所定の回数繰り返された場合には、前記読解支援対象文章を所定の数の行さかのぼり、そこから前記文章移動表示領域に移動表示し直す手段、すなわち学習者が数行前にさかのぼって再読して内容を確認しようとするための手段であり、
前記表示制御手段は、前記読解支援対象文章を前記文章移動表示領域に移動表示中であっても、前記入力情報取得手段により、前記所定の値を有する入力情報の取得が所定の回数繰り返された場合には、前記読解支援対象文章を所定の数の行さかのぼり、そこから前記文章移動表示領域に移動表示し直す手段であることを特徴とする請求項１に記載の読解支援装置。
【請求項３】
請求項１又は２に記載の読解支援装置の利用に際して、
前記文章移動表示領域に移動表示されている前記読解支援対象文章において、非常に読みにくくなっているような箇所に学習者が直面した場合や、前記文章移動表示領域において、今、読んでいる文章部分は関心や目的に適った部分である時や、前記文章移動表示領域に移動表示されている前記読解支援対象文章が、読みやすい部分から読みにくい部分になった時に、その文章の左方向への移動表示速度を、なるべく次第に低下させていくよう学習者に奨め、学習者が文章を一本調子に漫然と読み進むことにより読みにくい文章部分はすぐに読み飛ばしてしまうというような読み方を防ぎ、また関心がある部分をより詳しく読もうとすることを奨め、その間、すなわち表示文章の移動速度を減速させている間にも、詳細を学習者が思い出せない、あるいは、関連する事柄を類推することさえできないなどのために非常に読みにくい場合には、学習者に、更に、表示文章の左方向への移動をほとんど停止させるよう奨めるか、前記読解支援対象文章の移動速度を減速させている間にも、詳細を学習者が思い出せない、あるいは、関連する事柄を類推することさえできないなどのために非常に読みにくい場合、あるいは、文章が左の方へ移動しすぎたので少し戻って参照したい場合、あるいは、前の文章内容や、文脈が不明瞭になった場合には、更に、文章を逆方向、すなわち右方向にゆっくり移動表示させ始めるよう奨めることにより、その読みにくい箇所の少し前の箇所も参照させるなどしながら、文章内の単語あるいは句単位で、逐一、その内容の正しい理解を得るために、あるいは、その文章部分に対する何らかの理解を学習者に生じさせるために学習者が類推を行うために、個々の学習者にとって最低限必要な待ち時間を、その文章部分の読みにくさに応じて適宜確保できるようにし、その読みにくい箇所に対する理解を学習者が得次第、学習者に、前記文章移動表示領域に移動表示されている前記読解支援対象文章が理解できる範囲内の速度で、学習者が、再度、非常に読みにくいと感じるような箇所に直面するところまで、表示文章の左方向への移動速度を次第に高速度にするよう学習者に奨めることにより、前記読解支援対象文章内の部分部分における、個々学習者にとっての読みにくさ読みやすさの程度の局所的な変化に応じ、その各文章部分に対し、学習者による理解が成立するまでに個々の学習者にとって必要な待ち時間を、前記文章移動表示領域に表示されている文章の部分部分の読みにくさ読みやすさに応じて、学習者に機敏かつ頻繁に、積極的に変化させつつ確保させるような前記読解支援対象文章の前記文章移動表示領域における文章移動表示を行わせ、文章内のすべての箇所に対して曖昧な理解を残すことのない速読を行うことができ、またそのような読み方の習慣を学習者に習得させようとする読解支援方法。
【請求項４】
コンピュータを、請求項１又は２に記載の手段として機能させることを特徴とする読解支援プログラム。